(57)【特許請求の範囲】
【請求項１】
複数の通信機器が並列して収納される装置ユニットと、
前記装置ユニットの上方また下方に設けられ、外部から導入される外線ケーブルを外側から接続する複数のケーブル接続具が並列して着脱自在に取り付けられたケーブル接続ユニットと、
前記装置ユニットおよび前記ケーブル接続ユニットの側方に上下方向に沿って設けられ、内線ケーブルおよび前記外線ケーブルが導入されるケーブル導入ユニットとを備え、
前記ケーブル接続ユニット内に、前記内線ケーブルを前記ケーブル接続具の内側から接続する内線ケーブル導入空間と、該内線ケーブル導入空間と前記ケーブル導入ユニットとを連通するケーブル導入口とを備えた通信機器用収納架において、
前記ケーブル導入口は、上部を開放して設けられ、
前記ケーブル接続ユニットにおける前記ケーブル接続具の上方には、前記内線ケーブル導入空間に導入された前記内線ケーブルを前記外側に引き出し可能な引き出し空間が設けられたことを特徴とする通信機器用収納架。
【請求項２】
請求項１記載の通信機器用収納架において、
前記ケーブル接続ユニットには、前記内線ケーブル導入空間に導入された前記内線ケーブルの前記引き出し空間側への移動を規制する規制部材が着脱自在に固定されたことを特徴とする通信機器用収納架。
【請求項３】
請求項２記載の通信機器用収納架において、
前記規制部材は、前記引き出し空間の前記内線ケーブル導入空間側に直立する板片を備えていることを特徴とする通信機器用収納架。
【請求項４】
請求項２記載の通信機器用収納架において、
前記規制部材は、前記ケーブル導入口の前記上部を覆って前記内線ケーブル導入空間に水平に配置される板状に形成され、前記ケーブル接続ユニットの幅方向に対応する両側は、該ケーブル接続ユニット着脱自在に固定され、一方の固定の解除時に、他方を支点として前記外側に回動自在であることを特徴とする通信機器用収納架。
【請求項５】
請求項１記載の通信機器用収納架において
前記ケーブル接続ユニットの前記外側には、該外側に向けて突出する第１突出片と、該第１突出片の上部または下部に対向し、該ケーブル接続ユニット側を軸として上下方向に回動する第２突出片とを有する挟持具が取り付けられ、
前記挟持具における第１突出片と第２突出片との対向面には、前記外線ケーブルを保持する複数のケーブル保持部が、前記突出方向に並列して形成されていることを特徴とする通信機器用収納架。
【請求項６】
請求項１の記載の通信機器用収納架において、
前記ケーブル接続ユニットの両側には、該ケーブル接続ユニットを収納架本体に固定するフランジが設けられ、
前記フランジには、小径穴と該小径穴の下側に連設された大径穴からなるだるま穴が、上下方向に沿って複数個形成され、
前記ケーブル接続ユニットの下部に位置する前記だるま穴の前記大径穴は、前記ケーブル接続ユニット側の円弧部分を残して切除されていることを特徴とする通信機器用収納架。
【発明の詳細な説明】
【０００１】
【発明の属する技術分野】
本発明は、複数の通信機器が収納される通信機器用収納架に関し、特に、収納架内でのケーブルの配線作業を容易に行うことができる通信機器用収納架に関する。
【０００２】
【従来の技術】
図９は、従来の通信機器用収納架を示している。
通信機器用収納架１には、上下方向に沿って複数の装置ユニット２が取り付けられている。各装置ユニット２には、複数の通信機器３が幅方向に並列に収納されている。これ等通信機器３は、例えば、プリント配線板に電子部品等を実装することで形成されている。
【０００３】
通信機器用収納架１には、装置ユニット２の下方にケーブル接続ユニット４が取り付けられている。ケーブル接続ユニット４には、外線ケーブル５と内線ケーブル６とを相互に接続する複数の端子台７が、幅方向に並列して固定されている。ここで、外線ケーブル５は、通信機器用収納架１の外部から導入される電気ケーブルであり、内線ケーブル６は、通信機器用収納架１内を配線され、通信機器３等に接続される電気ケーブルである。
【０００４】
また、通信機器用収納架１には、装置ユニット２およびケーブル接続ユニット４の幅方向の両側に、上下方向に沿ってケーブル導入ユニット８が形成されている。ケーブル導入ユニット８には、外線ケーブル５および内線ケーブル６が導入されている。
図１０は、ケーブル接続ユニット４の詳細を示している。
【０００５】
ケーブル接続ユニット４の背面側Ｂには、幅方向の両側にフランジ４ａが形成されている。各フランジ４ａには、上下方向に間隔をおいて取付穴４ｂが形成されている。そして、ケーブル接続ユニット４は、取付ねじ等を用いてフランジ４ａを通信機器用収納架１の支柱９に取り付けることで、通信機器用収納架１に固定されている。
【０００６】
ケーブル接続ユニット４の背面Ｂ側には、内線ケーブル６を導入する内線ケーブル導入空間４ｃが形成されている。
ケーブル接続ユニット４の側壁４ｄには、ケーブル導入ユニット８から内線ケーブル導入空間４ｃに貫通する矩形状のケーブル導入口４ｅが形成されている。
端子台７の前面Ｆ側には、外線ケーブル５の芯線５ａを挟持して接続するための複数の挟持端子７ａが上下方向に沿って複数配置されている。ここで、挟持端子７ａは、例えば、サトーパーツ（株）製のＭＬ−４００Ｎが使用されている。
【０００７】
端子台７の背面Ｂ側には、内線ケーブル６の先端に取り付けられたコネクタ６ａを接続するためのアダプタ（図示せず）が配置されている。
また、ケーブル接続ユニット４の下部には、前面Ｆ側に突出する複数の板状のケーブルサポート１０が、端子台７の配置間隔と同一の間隔で固定されている。ケーブルサポート１０には、ケーブル導入ユニット８から導入された外線ケーブル５が樹脂バンド１１等で包縛されている。
【０００８】
上述した通信機器用収納架１では、まず、外部からケーブル導入ユニット８内に導入された外線ケーブル５が、ケーブル接続ユニット４の前面Ｆ側に導かれる。次に、これ等外線ケーブル５が樹脂バンド１１等を使用してケーブルサポート１０に包縛される。この後、外線ケーブル５の先端から芯線５ａが引き出され、所定の端子台７の挟持端子７ａに接続される。
【０００９】
また、通信機器３に接続される内線ケーブル６は、ケーブル導入ユニット８からケーブル導入口４ｅを通してケーブル接続ユニット４の内線ケーブル導入空間４ｃに導入される。この後、内線ケーブル６の先端のコネクタ６ａが、ケーブル接続ユニット４の背面Ｂ側から端子台７のアダプタに接続される。
そして、外線ケーブル５、端子台７、および内線ケーブル６を介して、通信機器３と外部の装置（図示せず）とが電気的に接続される。
【００１０】
【発明が解決しようとする課題】
ところで、上述した通信機器用収納架では、回線の入れ替え等で通信機器３の収納位置を変える必要が生じた場合、挟持端子７ａに接続した外線ケーブル５の芯線５ａを全て取り外し、取り外した芯線５ａを別の端子台７の挟持端子７ａに接続し直していた。この際、樹脂バンドを切断あるいは解いて、ケーブルサポート１０に包縛された外線ケーブル５を取り外し、再び別のケーブルサポート１０に包縛しなくてはならなかった。
【００１１】
また、内線ケーブル６のコネクタ６ａは、ケーブル接続ユニット４の背面Ｂ側でアダプタに接続されているため、その接続、取り外しを手探りで行わなくてはならなかった。通信機器用収納架１が移動できる場合には、通信機器用収納架１の背面Ｂ側を壁面から離しコネクタ５ａを接続する場合があった。しかし、一般に、この種の通信機器用収納架１は、その重量が200ｋｇ程度あり、その作業性が非常に悪かった。また、通信機器用収納架１を移動した場合には、既に接続されている外線ケーブル等が引っ張られて断線するおそれがあった。
【００１２】
さらに、内線ケーブル６の先端のコネクタ６ａの形状によっては、内線ケーブル６をケーブル導入口４ｅに円滑に挿通することができなかった。
すなわち、従来の通信機器用収納架１は、外線ケーブル５および内線ケーブル６を配線、接続する際の作業性が悪いという問題があった。
本発明は、かかる従来の問題点を解決するためになされたもので、ケーブルの配線作業および接続作業を容易に行うことができる通信機器用収納架を提供することを目的とする。
【００１３】
【課題を解決するための手段】
請求項１の通信機器用収納架は、複数の通信機器が並列して収納される装置ユニットと、前記装置ユニットの上方また下方に設けられ、外部から導入される外線ケーブルを外側から接続する複数のケーブル接続具が並列して着脱自在に取り付けられたケーブル接続ユニットと、前記装置ユニットおよび前記ケーブル接続ユニットの側方に上下方向に沿って設けられ、前記内線ケーブルおよび前記外線ケーブルが導入されるケーブル導入ユニットとを備え、前記ケーブル接続ユニット内に、前記内線ケーブルを前記ケーブル接続具の内側から接続する内線ケーブル導入空間と、該内線ケーブル導入空間と前記ケーブル導入ユニットとを連通するケーブル導入口とを備えた通信機器用収納架において、前記ケーブル導入口は、上部を開放して設けられ、前記ケーブル接続ユニットにおける前記ケーブル接続具の上方には、前記内線ケーブル導入空間に導入された前記内線ケーブルを前記外側に引き出し可能な引き出し空間が設けられたことを特徴とする。
【００１４】
請求項２の通信機器用収納架は、請求項１記載の通信機器用収納架において、前記ケーブル接続ユニットには、前記内線ケーブル導入空間に導入された前記内線ケーブルの前記引き出し空間側への移動を規制する規制部材が着脱自在に固定されたことを特徴とする。
請求項３の通信機器用収納架は、請求項２記載の通信機器用収納架において、前記規制部材は、前記引き出し空間の前記内線ケーブル導入空間側に直立する板片を備えていることを特徴とする。
【００１５】
請求項４の通信機器用収納架は、請求項２記載の通信機器用収納架において、前記規制部材は、前記ケーブル導入口の前記上部を覆って前記内線ケーブル導入空間に水平に配置される板状に形成され、前記ケーブル接続ユニットの幅方向に対応する両側は、該ケーブル接続ユニット着脱自在に固定され、一方の固定の解除時に、他方を支点として前記外側に回動自在であることを特徴とする。
【００１６】
請求項５の通信機器用収納架は、請求項１記載の通信機器用収納架において
前記ケーブル接続ユニットの前記外側には、該外側に向けて突出する第１突出片と、該第１突出片の上部または下部に対向し、該ケーブル接続ユニット側を軸として上下方向に回動する第２突出片とを有する挟持具が取り付けられ、前記挟持具における第１突出片と第２突出片との対向面には、前記外線ケーブルを保持する複数のケーブル保持部が、前記突出方向に並列して形成されていることを特徴とする。
【００１７】
請求項６の通信機器用収納架は、請求項１の記載の通信機器用収納架において、前記ケーブル接続ユニットの両側には、該ケーブル接続ユニットを収納架本体に固定するフランジが設けられ、前記フランジには、小径穴と該小径穴の下側に連設された大径穴からなるだるま穴が、上下方向に沿って複数個形成され、前記ケーブル接続ユニットの下部に位置する前記だるま穴の前記大径穴は、前記ケーブル接続ユニット側の円弧部分を残して切除されていることを特徴とする。
【００１８】
（作用）
請求項１の通信機器用収納架では、通信機器の回線の入れ替え等で内線ケーブルを別のケーブル接続具に再接続する場合に、ケーブル接続具が内線ケーブルを接続した状態で外側に取り外される。ケーブル導入口は上部を開放して設けられており、さらに、ケーブル接続具の上方に引き出し空間が設けられている。このため、内線ケーブルは、ケーブル導入口および他のケーブル接続具に引っ掛かることなく、引き出し空間を通ってケーブル接続具とともに外側に引き出される。そして、この状態で内線ケーブルは、容易にケーブル接続具から取り外され、別のケーブル接続具に接続される。したがって、内線ケーブルの接続の作業性が向上する。
【００１９】
請求項２の通信機器用収納架では、内線ケーブル導入空間に導入されたケーブル接続具に接続された内線ケーブルは、規制部材により引き出し空間への膨らみまたは移動が規制される。一方、内線ケーブルの接続作業は、規制部材を取り外すことで容易に行われる。
請求項３の通信機器用収納架では、内線ケーブルの引き出し空間への膨らみまたは移動が、規制部材に備えた板片により防止される。
【００２０】
請求項４の通信機器用収納架では、ケーブル導入口の上部を覆って内線ケーブル導入空間に水平に配置された板状の規制部材により、内線ケーブル導入空間に導入された内線ケーブルの上方への隆起が防止される。この結果、内線ケーブル６の引き出し空間への移動が防止される。
また、内線ケーブルの接続作業は、ケーブル接続ユニットの幅方向の一方の固定を解除し、規制部材を外側に回動することで容易に行われる。
【００２１】
請求項５の通信機器用収納架では、ケーブル導入空間からケーブル接続ユニットに導入されケーブル接続具に接続される外線ケーブルは、挟持具の第１突出片と第２突出片との間に挟持される。この際、外線ケーブルは、第１突出片および第２突出片に形成された複数のケーブル保持部により、容易かつ整然と保持される。
【００２２】
また、外線ケーブルの挟持具からの取り外しは、第２突出片を上下方向に回動することで容易に行われる。
請求項６の通信機器用収納架では、ケーブル接続ユニットの下部に位置するだるま穴の大径穴が、ケーブル接続ユニット側の円弧部分を残して切除されており、この大径穴のケーブル接続ユニットと反対側には、鋭角な突出部分がない。したがって、ケーブル接続ユニットの収納架本体への取り付け時等に、作業者の手あるいは体が大径穴の切除部分に当たって怪我をすることが防止される。また、ケーブル等が大径穴の切除部分に当たって損傷することが防止される。
【００２３】
【発明の実施の形態】
以下、本発明の実施形態を図面を用いて説明する。
図１は、本発明の通信機器用収納架の第１の実施形態を示している。この実施形態は、請求項１ないし請求項３、請求項５に対応している。なお、従来技術で説明した要素と同一の要素については、同一の符号を付し、これ等については、詳細な説明を省略する。
【００２４】
図１において、通信機器用収納架２１には、上下方向に沿って複数の装置ユニット２が取り付けられている。各装置ユニット２には、複数の通信機器３が幅方向に並列に収納されている。
通信機器用収納架２１には、装置ユニット２の下方にケーブル接続ユニット２３が取り付けられている。ケーブル接続ユニット２３には、外線ケーブル５と内線ケーブル６とを相互に接続する複数の端子台２７（ケーブル接続具に対応する）が、幅方向に並列して２列に固定されている。
【００２５】
また、通信機器用収納架２１には、装置ユニット２およびケーブル接続ユニット２３の幅方向の両側に、上下方向に沿ってケーブル導入ユニット８が形成されている。ケーブル導入ユニット８には、外線ケーブル５および内線ケーブル６が導入されている。
【００２６】
図２は、ケーブル接続ユニット２３の詳細を示している。
ケーブル接続ユニット２３の背面側Ｂには、幅方向の両側にフランジ２３ａが形成されている。各フランジ２３ａには、小径穴２５ａとこの小径穴２５ａの下側に連設された大径穴２５ｂとからなるだるま穴２５が、上下方向に間隔をおいて２箇所に形成されている。
【００２７】
図３は、フランジ２３ａおよびだるま穴２５の詳細を示している。
フランジ２３ａの下側のだるま穴２５は、大径穴２５ｂがケーブル接続ユニット２３の下面より下側に突出する位置に形成されている。このだるま穴２５の大径穴２５ｂは、ケーブル接続ユニット２３側の円弧部分２５ｃを残して切除されている。このように、ケーブル接続ユニット２３側の円弧部分２５ｃを残してだるま穴２５の大径穴２５ｂを切除することで、このだるま穴２５のケーブル接続ユニット２３と反対側には、突出部分がなくなる。したがって、ケーブル接続ユニット２３の収納架本体への取り付け時等に、作業者の手あるいは体が大径穴の切除部分に当たって怪我をすることが防止される。また、外線ケーブル５、内線ケーブル６、あるいは電源ケーブル等が大径穴の切除部分に当たって損傷することが防止される。
【００２８】
また、図２に示したように、ケーブル接続ユニット２３は、通信機器用収納架２１の支柱９に取り付けられた取付ねじ等（図示せず）にだるま穴２５を引っ掛けた後、取付ねじ等を締め付けることで、通信機器用収納架２１に固定されている。
ケーブル接続ユニット２３の背面Ｂ側には、内線ケーブル６を導入する内線ケーブル導入空間２３ｂが形成されている。
【００２９】
ケーブル接続ユニット２３の側壁２３ｃには、ケーブル導入ユニット８から内線ケーブル導入空間２３ｂに貫通するケーブル導入口２３ｄが、上部を開口してコ字状に形成されている。ケーブル導入口２３ｄのコ字状の端部には、内線ケーブル６の保護用の樹脂（パッキング）が取り付けられている。
【００３０】
ケーブル接続ユニット２３内には、各列の端子台２７の上方に、内線ケーブル導入空間２３ｂに導入された内線ケーブル６を前面Ｆ側（外側に対応する）に引き出すための引き出し空間２３ｅが形成されている。なお、引き出し空間２３ｅは、図１において、より明確に表されている。
各引き出し空間２３ｅにおける端子台２７の上部には、矩形状の規制板２９（規制部材に対応する）が、幅方向に延在して水平に配置されている。規制板２９の幅方向の両端は、下側に折曲されている。この折曲部分２９ａと、折曲部分２９ａに対向するケーブル接続ユニット２３の側壁２３ｃとには、ワンタッチ固定具３１のプランジャと受部とが、それぞれ取り付けられている。そして、規制板２９は、ワンタッチ固定具３１によりケーブル接続ユニット２３に着脱自在に固定されている。この実施形態では、ワンタッチ固定具３１として、例えば、タキゲン社製のナイラッチが使用されている。
【００３１】
また、規制板２９の内線ケーブル導入空間２３ｂ側は、上方に向けて直角に折曲され、引き出し空間２３ｅと内線ケーブル導入空間２３ｂとを遮る板片部２９ｂ（板片に対応する）が形成されている。なお、規制板２９は、板金等を折曲して形成されている。
各端子台２７の前面Ｆ側には、外線ケーブル５の芯線５ａを挟持して接続するための複数の挟持端子２７ａが幅方向に沿って複数配置されている。
【００３２】
端子台２７の背面Ｂ側には、内線ケーブル６の先端に取り付けられたコネクタ（図示せず）を接続するためのアダプタ（図示せず）が配置されている。
また、ケーブル接続ユニット２３の下部には、前面Ｆ側に突出する複数のケーブルクリップ３３（挟持具に対応する）が、端子台２７の配置間隔と同一の間隔で固定されている。
【００３３】
図４は、ケーブルクリップ３３の詳細を示している。
ケーブルクリップ３３は、前面Ｆ側に突出する第１突出片３５と、この第１突出片３５の下部に対向する第２突出片３７とを有している。ケーブルクリップ３３は、ナイロン樹脂等により一体形成されており、第２突出片３７は、ケーブル接続ユニット２３側に位置する第１突出片３５との接続部分を軸として上下方向に回動自在にされている。すなわち、第１突出片３５との接続部分は、弾性を有している。
【００３４】
第１突出片３５の前面Ｆ側には、上下方向に貫通する係止穴３５ａが形成されている。第２突出片３７の前面Ｆ側には、第１突出片３５の係止穴３５ａに係止する係止爪３７ａが第１突出片３５側に突出して一体形成されている。
第１突出片３５および第２突出片３７の対向面には、円弧状の凹溝３５ｂ、３７ｂが前後方向（突出方向）に沿って５箇所に形成されている。各凹溝３５ｂ、３７ｂには、スポンジ等の板状の緩衝材３９が接着されている。そして、これ等凹溝３５ｂ、３７ｂにより、外線ケーブル５を保持するケーブル保持部４１が形成されている。
【００３５】
図５は、上述したケーブル接続ユニット２３を側方からみた状態を示している。
上述した通信機器用収納架２１では、まず、図２に示したように、外部からケーブル導入ユニット８内に導入された外線ケーブル５が、ケーブル接続ユニット２３の前面Ｆ側に導かれる。次に、これ等外線ケーブル５がケーブルクリップ３３のケーブル保持部４１に保持される。この際、外線ケーブル５は、ケーブル保持部４１により整然と保持される。
【００３６】
ここで、外線ケーブル５は、第２突出片３７の係止爪３７ａを第１突出片３５の係止穴３５ａに係止することで、ケーブル保持部４１内で押圧状態で保持される。このため、この実施形態では、外線ケーブル４は、樹脂バンド等により包縛する必要がなく、外線ケーブル５を容易に保持することができる。また、必要な外線ケーブル５のみを容易に取り外すことができる。
【００３７】
また、ケーブル保持部４１の各凹溝３５ｂ、３７ｂには、緩衝剤３９が接着されているため、樹脂バンド等により包縛する場合と異なり、外線ケーブル５が押圧されても損傷することがない。
この後、外線ケーブル５の先端から芯線５ａが引き出され、所定の端子台２７の挟持端子２７ａに接続される。
【００３８】
また、通信機器３に接続される内線ケーブル６は、ケーブル導入ユニット８からケーブル導入口２３ｄを通してケーブル接続ユニット２３の内線ケーブル導入空間２３ｂに導入される。この後、内線ケーブル６の先端のコネクタが、ケーブル接続ユニット２３の背面Ｂ側から端子台２７のアダプタに接続される。この際、後述するように、内線ケーブル６のアダプタへの接続は、前面Ｆ側で行われる。
【００３９】
外線ケーブル５および内線ケーブル６の接続作業が完了した後、ケーブル接続ユニット２３の引き出し空間２３ｅに規制板２９が配置される。そして、規制板２９の折曲部分２９ａと、ケーブル接続ユニット２３の側壁２３ｃとがワンタッチ固定具３１により着脱自在に固定される。
内線ケーブル導入空間２３ｂに導入され端子台２７に接続された内線ケーブル６は、規制板２９により引き出し空間２３ｅへの膨らみまたは移動が規制される。このため、内線ケーブル６は、他の内線ケーブル６が移動した場合にも、引き出し空間２３ｅ側に膨らむことはない。
【００４０】
そして、外線ケーブル５、端子台２７、および内線ケーブル６を介して、通信機器３と外部の装置（図示せず）とが電気的に接続される。
一方、通信機器３の回線の入れ替え等で、内線ケーブル６および外線ケーブル５の端子台２７への接続位置を変える場合には、まず、図６に示すように、規制板２９が取り外される。ここで、ワンタッチ固定具３１は、規制板２９の折曲部分２９ａをわずかに外側に開くだけで容易に取り外される。
【００４１】
次に、外線ケーブル５の芯線５ａが端子台２７の挟持端子２７ａから取り外される。
次に、外線ケーブル５が、ケーブルクリップ３３のケーブル保持部４１から取り外される。この際、第１突出片３５の係止穴３５ａと第２突出片３７の係止爪３７ａとの係止を解除し、第２突出片３７を下側に回動することで、外線ケーブル５は、ケーブルクリップ３３から容易に取り外される。したがって、従来に比べ、外線ケーブル５の接続の作業性が大幅に向上する。
【００４２】
この後、端子台２７が内線ケーブル６を接続した状態で前面Ｆ側に引き出される。この際、ケーブル導入口２３ｄは上部を開放して形成され、さらに、端子台２７の上方に引き出し空間２３ｅが形成されてるため、内線ケーブル６は、ケーブル導入口２３ｄおよび他の端子台２７に引っ掛かることなく、引き出し空間２３ｅを通って前面Ｆ側に引き出される。
【００４３】
そして、この状態で、内線ケーブル６は、端子台２７から容易に取り外され、別の端子台２７に接続される。この結果、内線ケーブル６の接続作業を全て前面Ｆ側で行うことができる。したがって、従来に比べ、内線ケーブル６の接続の作業性が大幅に向上する。
以上のように構成された通信機器用収納架では、ケーブル導入口２３ｄを上部を開放して設け、端子台２７の上方に引き出し空間２３ｅが設けた。このため、内線ケーブル６を別の端子台２７に接続する場合に、この内線ケーブル６をケーブル導入口２３ｄおよび他の端子台２７に引っ掛けることなく、引き出し空間２３ｅを通って外側に引き出すことができる。この結果、内線ケーブル６の接続の作業性を向上することができる。
【００４４】
また、規制板２９をケーブル接続ユニット２３における内線ケーブル導入空間２３ｂと引き出し空間２３ｅとの間に配置したので、内線ケーブル導入空間２３ｂに導入された内線ケーブル６の引き出し空間２３ｅへの膨らみまたは移動を確実に防止することができる。
規制板２９をワンタッチ固定具３１でケーブル接続ユニット２３に着脱自在に固定したので、内線ケーブル６の接続作業時に、規制板２９を容易に取り外すことができる。
【００４５】
簡易な形状の規制板２９で、内線ケーブル６の引き出し空間２３ｅへの膨らみまたは移動を確実に防止することができる。
外線ケーブル５をケーブルクリップ３３の第１突出片３５と第２突出片３７との間に挟持した。このため、外線ケーブル５を容易かつ確実に保持することができる。
【００４６】
ケーブルクリップ３３に前後方向に沿って複数のケーブル保持部４１を形成したので、外線ケーブル５を整然と保持することができる。
第２突出片３７を第１突出片３５に対して回動自在に係止したので、外線ケーブル５の取り外しを、第２突出片３７を回動することで容易に行うことができる。
フランジ２３ａのだるま穴２５の大径穴２５ｂを、ケーブル接続ユニット２３側の円弧部分２５ｃを残して切除した。このため、ケーブル接続ユニット２３の収納架本体への取り付け時等に、作業者の手あるいは体が大径穴の切除部分に当たって怪我をすることを防止することができる。また、外線ケーブル５および内線ケーブル６等が大径穴２５ｂの切除部分に当たって損傷することを防止することができる。
【００４７】
図７は、本発明の通信機器用収納架の第２の実施形態を示している。この実施形態は、請求項４に対応している。なお、従来技術および第１の実施形態で説明した要素と同一の要素については、同一の符号を付し、これ等については、詳細な説明を省略する。
この実施形態では、規制板の形状およびワンタッチ固定具３１の取付位置が、第１の実施形態と相違している。
【００４８】
規制板４３は、ケーブル接続ユニット２３の幅方向に長い矩形板状に形成されており、ケーブル導入口２３ｄの上部を覆って内線ケーブル導入空間２３ｂに水平に配置されている。規制板４３をケーブル接続ユニット２３に取り付けた状態で、ケーブル導入口２３ｄを通り内線ケーブル導入空間２３ｂに導入されている内線ケーブル６が、上側に盛り上がることはない。この結果、内線ケーブル６が引き出し空間２３ｅに移動することはない。
【００４９】
また、この実施形態では、ワンタッチ固定具３１は、規制板４３の幅方向の両側に取り付けられている。規制板４３は、一方のワンタッチ固定具３１を取り外した状態で、前面Ｆ側に回動することができる。規制板４３を回動することで、ケーブル導入口２３ｄの上部は解放され、内線ケーブル６は、内線ケーブル導入空間２３ｂ内を自由に移動できる。したがって、第１の実施形態と同様に内線ケーブル６の接続作業は容易に行われる。
【００５０】
図８は、第２の実施形態のケーブル接続ユニット２３を側方からみた状態を示している。
この実施形態の通信機器用収納架においても、上述した第１の実施形態と同様の効果を得ることができる。さらに、この実施形態では、矩形板状の規制板４３をケーブル接続ユニット２３のケーブル導入口２３ｄを覆って水平に配置した。このため、内線ケーブル導入空間２３ｂに導入された内線ケーブル６が上方に盛り上がることを防止することができる。この結果、内線ケーブル６の引き出し空間２３ｅ側への移動をより確実に防止することができる。また、規制板４３の形状を簡易にすることができる。
【００５１】
また、ワンタッチ固定具３１の一方を外した状態で、規制板４３を前面Ｆ側に回動自在にしたので、内線ケーブル６の接続作業を容易に行うことができる。
なお、上述した第１の実施形態では、規制板２９を板金で形成した例について述べた。しかしながら本発明はかかる実施形態に限定されるものではなく、例えば、樹脂等で形成してもよい。
【００５２】
また、上述した第１の実施形態では、ケーブルクリップ３３の第２突出片３７を第１突出片３５の下部に対向して形成した例について述べた。しかしながら本発明はかかる実施形態に限定されるものではなく、例えば、第１突出片３５の上部に対向するように形成してもよい。この場合、ケーブルクリップ３３に保持する前の外線ケーブル５を第１突出片３５の凹溝３５ｂ上に載置することができる。
【００５３】
さらに、上述した第１の実施形態では、端子台２７をケーブル接続ユニット２３内の幅方向に並列して２列に配置した例について述べた。しかしながら本発明はかかる実施形態に限定されるものではなく、例えば、１列に配置してもよい。
【００５４】
【発明の効果】
請求項１の通信機器用収納架では、内線ケーブルのケーブル導入ユニットからケーブル接続ユニットへの導入を円滑に行うことができる。
【００５５】
内線ケーブルを、ケーブル接続具から容易に取り外し、さらに別のケーブル接続具に容易に接続することができる。この結果、内線ケーブルの接続の作業性を大幅に向上することができる。
請求項２および請求項３の通信機器用収納架では、内線ケーブルの引き出し空間への膨らみまたは移動を、規制部材により確実に規制することができる。
【００５６】
また、規制部材を取り外すことで内線ケーブルの接続作業を容易に行うことができる。
請求項４の通信機器用収納架では、内線ケーブルの上方への隆起を規制部材により確実に規制することができる。
また、規制部材を外側に回動することで内線ケーブルの接続作業を容易に行うことができる。
【００５７】
請求項５の通信機器用収納架では、外線ケーブルを挟持具のケーブル保持部に容易かつ整然と保持することができる。
請求項６の通信機器用収納架では、作業者の手あるいは体が大径穴の切除部分に当たって怪我をすることを防止することができる。
また、ケーブル等が大径穴の切除部分に当たって損傷することを防止することができる。
【図面の簡単な説明】
【図１】本発明の通信機器用収納架の第１の実施形態を示す正面図である。
【図２】図１のケーブル接続ユニットの詳細を示す斜視図である。
【図３】図２のフランジの詳細を示す斜視図である。
【図４】図２のケーブルクリップの詳細を示す斜視図である。
【図５】図２の規制板の取り付け位置を示す側面図である。
【図６】回線の入れ替えをする状態を示す説明図である。
【図７】本発明の通信機器用収納架の第２の実施形態の要部を示す斜視図である。
【図８】図７の規制板の取り付け位置を示す側面図である。
【図９】従来の通信機器用収納架を示す正面図である。
【図１０】図９のケーブル接続ユニットの詳細を示す斜視図である。
【符号の説明】
２  装置ユニット
３  通信機器
５  外線ケーブル
５ａ  芯線
６  内線ケーブル
６ａ  コネクタ
８  ケーブル導入ユニット
９  支柱
２１  通信機器用収納架
２３  ケーブル接続ユニット
２３ａ  フランジ
２３ｂ  内線ケーブル導入空間
２３ｃ  側壁
２３ｄ  ケーブル導入口
２３ｅ  引き出し空間
２５  だるま穴
２５ａ  小径穴
２５ｂ  大径穴
２５ｃ  円弧部分
２７  端子台
２７ａ  挟持端子
２９  規制板
２９ｂ  板片部
３１  ワンタッチ固定具
３３  ケーブルクリップ
３５  第１突出片
３７  第２突出片
３５ｂ、３７ｂ  凹溝
３９  緩衝材
４１  ケーブル保持部
４３  規制板
Ｂ  背面
Ｆ  前面
【図１】
0003673125.tif 000002
【図２】
0003673125.tif 000003
【図３】
0003673125.tif 000004
【図４】
0003673125.tif 000005
【図５】
0003673125.tif 000006
【図６】
0003673125.tif 000007
【図７】
0003673125.tif 000008
【図８】
0003673125.tif 000009
【図９】
0003673125.tif 000010
【図１０】
0003673125.tif 000011